(57)【特許請求の範囲】
【請求項１】
半導体型の光源と、
前記光源の前方に配置される第２レンズと、
前記光源と前記第２レンズの間に配置され、自身の基本焦点に仮想光源を位置させたときに、その仮想光源からのライトコーンを前記第２レンズと前記第２レンズの基本焦点とを結ぶコーンに変換するとともに、水平方向外側の入射面に入射する前記仮想光源からの光を前記第２レンズの水平方向外側の入射面に入射させるように内向きに変換して照射するように形成されている第１レンズと、
前記第１レンズと前記光源の間に配置され、カットオフラインを形成するシェードと、を備え、
前記第１レンズは、
メイン配光用の主レンズ部と、
前記主レンズ部の下側に設けられ、メイン配光の上方に照射する配光パターン用の副レンズ部と、を有し、
前記シェードは、前記副レンズ部に前記光源からの光を入射させるために設けられた前記光源からの光を通過させる開口を有し、
前記開口は、前記第１レンズの前記主レンズ部と前記副レンズ部との境目に前記光源からの光が照射されない位置に位置するように前記シェードに設けられていることを特徴とする車両用灯具。
【請求項２】
前記開口は、前記開口の上辺が左右中央側から左右外側に向かって下側に下がる略円弧状に形成されていることを特徴とする請求項１に記載の車両用灯具。
【請求項３】
前記シェードは、前記開口の上辺から前記第１レンズ側に向かって所定の角度で下方に傾斜するように設けられるひさしを有し、
前記ひさしは、前記開口の上辺の左右中央側から左右外側の所定の範囲に設けられていることを特徴とする請求項１又は請求項２に記載の車両用灯具。
【請求項４】
前記副レンズ部の出射面は、前記副レンズ部の入射面に入射した前記光源からの光が形成する配光像を左右上下方向に拡大するとともに、車両前方の上方に照射される配光パターンが逆台形状となるように、前記第２レンズ側から見たときに、前記第２レンズの焦点位置を前記第２レンズの基本焦点に対してズラすように形成されていることを特徴とする請求項１から請求項３のいずれか１項に記載の車両用灯具。
【請求項５】
前記副レンズ部の前記入射面に入射した前記光源からの光が形成する配光像を左右上下方向に拡大するために、前記第２レンズ側から見たときに、前記副レンズ部の前記出射面は、
水平方向において、前記副レンズ部の左右中央側から左側の前記入射面に対応する前記出射面ほど前記第２レンズの焦点位置を前記第２レンズの基本焦点に対して左側にズラし、前記副レンズ部の左右中央側から右側の前記入射面に対応する前記出射面ほど前記第２レンズの焦点位置を前記第２レンズの基本焦点に対して右側にズラし、
鉛直方向において、前記副レンズ部の下側の前記入射面に対応する前記出射面から上側の前記入射面に対応する前記出射面に向かって上側の前記入射面に対応する前記出射面ほど前記第２レンズの焦点位置を前記第２レンズの基本焦点に対して下側にズラす基本形状とされており、
さらに、その基本形状に対して、車両前方の上方に照射される配光パターンが逆台形状となるように、前記第２レンズの焦点位置を前記第２レンズの基本焦点に対して前後方向にズラすように形成されており、
前記副レンズ部の前記出射面は、車両前方の上方に照射される配光パターンが逆台形状となるように、前記第２レンズ側から見たときに、前記副レンズ部の左右中央の下側の前記入射面に対応する前記出射面が前記第２レンズの焦点位置を前記第２レンズの基本焦点に対して前記第１レンズ側となる前方側にズラし、前記副レンズ部の左右中央の下側の前記入射面を基準に、上側、左右斜め上側及び左右外側に向かう前記入射面に対応する前記出射面ほど前記第２レンズの焦点位置を前記第２レンズの基本焦点に対して前記第１レンズから離れる後方側にズラすとともに、左右外側の前記入射面に対応する前記出射面が上側及び左右斜め上側の前記入射面に対応する前記出射面よりもズラし量が小さくなるように形成されていることを特徴とする請求項４に記載の車両用灯具。
【発明の詳細な説明】
【技術分野】
【０００１】
本発明は車両用灯具に関するものである。
【背景技術】
【０００２】
従来、車両前方側から車両後方側に向かって順に配置された、第１レンズ部、第２レンズ部、導光部及び光源を備え、前記光源からの光が、前記導光部で導光された後、前記第２レンズ部、前記第１レンズ部の順に透過して前方に照射されて、すれ違いビーム用配光パターンを形成する車両用灯具において、前記第１レンズ部及び前記第２レンズ部は、車両前後方向に延びる基準軸上に配置されており、前記導光部は、前記光源からの光が前記導光部内部に入射する入射面と、前記導光部内部に入射した前記光源からの光が出射する出射面と、を含み、前記基準軸より上に配置されており、前記導光部の出射面の下端縁は、カットオフラインに対応した形状の段差付きエッジ部を含み、前記基準軸近傍に配置されており、前記第１レンズ部及び前記第２レンズ部は、焦点が前記段差付きエッジ部近傍に位置する投影レンズを構成しており、前記光源は、横長の発光面を含み、前記横長の発光面が前記導光部の入射面近傍において当該入射面に対向した状態で前記基準軸より上かつ前記基準軸近傍に配置されており、前記導光部の出射面と前記第２レンズ部の入射面は、面接触しており、前記投影レンズの後方焦点面は、前記段差付きエッジ部に略一致していることを特徴とする車両用灯具が知られている（特許文献１参照）。
【０００３】
この車両用灯具では、光源から下方に向かう光などを導光部の下面で内面反射させるなどして光を導光部で導光し、カットオフラインが形成されるように第２レンズ部に効率よく光を入射させるようにすることで、高い光の利用効率を実現しようとするものである。
【先行技術文献】
【特許文献】
【０００４】
【特許文献１】特開２０１５―７９６６０号公報
【発明の概要】
【発明が解決しようとする課題】
【０００５】
ところで、特許文献１の車両用灯具では、メイン配光への光の使用効率を高めることが行われているが、車両の前方上方などに位置する標識などに光を照射するメイン配光の上方に照射されるオーバーヘッド配光については考慮されていない。
このためオーバーヘッド配光を形成するためには、別の灯具ユニットを設けるなどの必要があり、車両用灯具全体で見ると大型化してしまう恐れがある。
【０００６】
本発明は、このような事情にかんがみてなされたものであり、１つの灯具ユニットでメイン配光とメイン配光の上方に照射される配光とを形成することを可能とし、小型化が行える車両用灯具を提供することを目的とする。
【課題を解決するための手段】
【０００７】
本発明は、上記目的を達成するために以下の構成によって把握される。
（１）本発明の車両用灯具は、半導体型の光源と、前記光源の前方に配置される第２レンズと、前記光源と前記第２レンズの間に配置され、自身の基本焦点に仮想光源を位置させたときに、その仮想光源からのライトコーンを前記第２レンズと前記第２レンズの基本焦点とを結ぶコーンに変換するとともに、水平方向外側の入射面に入射する前記仮想光源からの光を前記第２レンズの水平方向外側の入射面に入射させるように内向きに変換して照射するように形成されている第１レンズと、前記第１レンズと前記光源の間に配置され、カットオフラインを形成するシェードと、を備え、前記第１レンズは、メイン配光用の主レンズ部と、前記主レンズ部の下側に設けられ、メイン配光の上方に照射する配光パターン用の副レンズ部と、を有し、前記シェードは、前記副レンズ部に前記光源からの光を入射させるために設けられた前記光源からの光を通過させる開口を有する。
（２）上記（１）の構成において、前記開口は、前記第１レンズの前記主レンズ部と前記副レンズ部との境目に前記光源からの光が照射されない位置に位置するように前記シェードに設けられている。
（３）上記（１）又は（２）の構成において、前記開口は、前記開口の上辺が左右中央側から左右外側に向かって下側に下がる略円弧状に形成されている。
（４）上記（１）から（３）のいずれか１つの構成において、前記シェードは、前記開口の上辺から前記第１レンズ側に向かって所定の角度で下方に傾斜するように設けられるひさしを有し、前記ひさしは、前記開口の上辺の左右中央側から左右外側の所定の範囲に設けられている。
（５）上記（１）から（４）のいずれか１つの構成において、前記副レンズ部の出射面は、前記副レンズ部の入射面に入射した前記光源からの光が形成する配光像を左右上下方向に拡大するとともに、車両前方の上方に照射される配光パターンが逆台形状となるように、前記第２レンズ側から見たときに、前記第２レンズの焦点位置を前記第２レンズの基本焦点に対してズラすように形成されている。
（６）上記（５）の構成において、前記副レンズ部の前記入射面に入射した前記光源からの光が形成する配光像を左右上下方向に拡大するために、前記第２レンズ側から見たときに、前記副レンズ部の前記出射面は、水平方向において、前記副レンズ部の左右中央側から左側の前記入射面に対応する前記出射面ほど前記第２レンズの焦点位置を前記第２レンズの基本焦点に対して左側にズラし、前記副レンズ部の左右中央側から右側の前記入射面に対応する前記出射面ほど前記第２レンズの焦点位置を前記第２レンズの基本焦点に対して右側にズラし、鉛直方向において、前記副レンズ部の下側の前記入射面に対応する前記出射面から上側の前記入射面に対応する前記出射面に向かって上側の前記入射面に対応する前記出射面ほど前記第２レンズの焦点位置を前記第２レンズの基本焦点に対して下側にズラす基本形状とされており、さらに、その基本形状に対して、車両前方の上方に照射される配光パターンが逆台形状となるように、前記第２レンズの焦点位置を前記第２レンズの基本焦点に対して前後方向にズラすように形成されており、前記副レンズ部の前記出射面は、車両前方の上方に照射される配光パターンが逆台形状となるように、前記第２レンズ側から見たときに、前記副レンズ部の左右中央の下側の前記入射面に対応する前記出射面が前記第２レンズの焦点位置を前記第２レンズの基本焦点に対して前記第１レンズ側となる前方側にズラし、前記副レンズ部の左右中央の下側の前記入射面を基準に、上側、左右斜め上側及び左右外側に向かう前記入射面に対応する前記出射面ほど前記第２レンズの焦点位置を前記第２レンズの基本焦点に対して前記第１レンズから離れる後方側にズラすとともに、左右外側の前記入射面に対応する前記出射面が上側及び左右斜め上側の前記入射面に対応する前記出射面よりもズラし量が小さくなるように形成されている。
【発明の効果】
【０００８】
本発明によれば、１つの灯具ユニットでメイン配光とメイン配光の上方に照射される配光とを形成することを可能とし、小型化が行える車両用灯具を提供することができる。
【図面の簡単な説明】
【０００９】
【図１】本発明に係る実施形態の車両用灯具を備えた車両の平面図である。
【図２】本発明に係る実施形態の灯具ユニットの主要部の斜視図である。
【図３】本発明に係る実施形態の灯具ユニットの基本構成を説明するための斜視図である。
【図４】図３のシェードだけを示した図であり、（ａ）はシェードの裏面図であり、（ｂ）は斜視図である。
【図５】図３の第１レンズ及び第２レンズを説明するための図であり、第１レンズ及び第２レンズを上から見た上面図である。
【図６】図３の第１レンズの出射面を調整する前の配光パターンを示す図である。
【図７】図３の第１レンズの入射面の主要な範囲を示す図である。
【図８】図３の第１レンズの出射面を調整して図６の配光パターンで見られるカットオフラインの反り上がりなどを改善した後の配光パターンを示す図である。
【図９】図８の配光パターンを、さらに、拡げる方法を説明するための図である。
【図１０】図８の配光パターンを拡げるための第２レンズの配光制御を説明するための図である。
【図１１】図８の配光パターンを拡げた状態を示す図であり、（ａ）は配光パターンを拡げる前の図８の配光パターンを示す図であり、（ｂ）は第２レンズの配光制御によって配光パターンを拡げた後の配光パターンを示す図である。
【図１２】図１１（ｂ）の配光パターンをさらに改善するためのポイントを説明するための図であり、（ａ）は第１レンズを説明するための側面図であり、（ｂ）は第１レンズの上側のレンズ部分からの光が形成する配光パターンを示す図であり、（ｃ）は第１レンズの下側のレンズ部分からの光が形成する配光パターンを示す図である。
【図１３】図１２（ａ）の第１レンズの外観を示す斜視図である。
【図１４】図１３の第１レンズの入射面の主要な範囲を示す図であり、（ａ）は第２レンズの焦点位置を鉛直方向にズラすための構成を説明するための図であり、（ｂ）は第２レンズの焦点位置を水平方向にズラすための構成を説明するための図である。
【図１５】図１３の第１レンズの上側レンズ部からの光が形成する配光パターンを示す図である。
【図１６】本発明に係る実施形態の車両用灯具としてのメイン配光であるロービーム配光パターンを示す図である。
【図１７】本発明に係る実施形態の第１レンズの副レンズ部とする領域を説明するための図である。
【図１８】本発明に係る実施形態のシェードの裏面図である。
【図１９】図１８のシェードの開口を通過する光の状態を説明する図である。
【図２０】本発明に係る実施形態の第１レンズの副レンズ部の構成を説明するため図であり、（ａ）は入射面の主要な範囲を示す図であり、（ｂ）は灯具ユニットの主要部の上面図である。
【図２１】本発明に係る実施形態の第１レンズの副レンズ部の構成を説明するための図であり、（ａ）は入射面の主要な範囲を示す図であり、（ｂ）は灯具ユニットの主要部の側面図である。
【図２２】本発明に係る実施形態の第１レンズの副レンズ部によって配光像が拡大された状態を説明する図である。
【図２３】本発明に係る実施形態の第１レンズの副レンズ部の更なる調整について説明する図である。
【図２４】本発明に係る実施形態の車両用灯具の形成するメイン配光及びメイン配光の上方に照射される配光パターンを示す図である。
【発明を実施するための形態】
【００１０】
以下、添付図面を参照して、本発明を実施するための形態（以下、「実施形態」と称する）について詳細に説明する。実施形態の説明の全体を通して同じ要素には同じ番号を付している。また、実施形態及び図中において、特に断りがない場合、「前」、「後」は、各々、車両の「前進方向」、「後進方向」を示し、「上」、「下」、「左」、「右」は、各々、車両に乗車する運転者から見た方向を示す。
【００１１】
本発明の実施形態に係る車両用灯具は、図１に示す車両１０２の前方の左右のそれぞれに設けられる車両用前照灯（１０１Ｒ、１０１Ｌ）であり、以下では単に車両用灯具と記載する。
【００１２】
本実施形態の車両用灯具は、車両前方側に開口したハウジング（図示せず）と開口を覆うようにハウジングに取付けられるアウターレンズ（図示せず）を備え、ハウジングとアウターレンズとで形成される灯室内に灯具ユニット１０（図２参照）などが配置されている。
【００１３】
図２は、灯具ユニット１０の主要部を示す斜視図である。
図２に示すように、灯具ユニット１０は、半導体型の光源２０と、光源２０の前方に配置される第２レンズ３０と、光源２０と第２レンズ３０の間に配置される第１レンズ４０と、第１レンズ４０と光源２０の間に配置されるシェード５０と、を備えている。
【００１４】
なお、光源２０は、図示しないヒートシンクなどに取付けられ、そして、第２レンズ３０、第１レンズ４０、及び、シェード５０も図示しないホルダなどを用いてヒートシンクに対して取付けられるようになっている。
【００１５】
図２に示すように、第１レンズ４０は、斜めカットオフパターンを有するメイン配光に対応するメイン配光用の主レンズ部４０Ａと、メイン配光の上側に照射され、標識や看板などを照らす、いわゆるオーバーヘッド配光に対応する副レンズ部４０Ｂと、を有しており、また、主レンズ部４０Ａは、上側レンズ部４０ａと下側レンズ部４０ｂの２つのレンズ部を有するものになっているが、まず、各レンズ部の構成が理解しやすいように、第１レンズ４０が複数のレンズ部を有する状態となる前の図３に示す基本構成の状態から順次説明を行う。
また、図３では、最も基本的な状態を示しており、いわゆる、オーバーヘッド配光を形成するための構成を備える前の状態を示している。
【００１６】
（基本構成の説明）
図３を参照しながら、以下、本実施形態の灯具ユニット１０の基本的な構成について説明する。
【００１７】
（光源）
光源２０は、本実施形態では、給電構造を設けたアルミ実装基板２２上に発光チップ２１を設けた半導体型のＬＥＤを用いているが、ＬＥＤに限定される必要はなく、例えば、半導体レーザ（ＬＤ）のような半導体型の光源であっても良い。
【００１８】
ところで、メーカーによっては、発光チップ２１の一部に欠けがある場合があり、このように一部に欠けがある場合には、その欠けのある部分が鉛直方向下側に位置するように配置するのが好適である。
【００１９】
このようにすることで、灯具ユニット１０から前方に光が投影されるときに、この欠けの部分を上方に投影することができ、配光パターンの上方に逃がすようにすることで良好な配光パターンを形成することが可能となる。
【００２０】
（第２レンズ）
第２レンズ３０は、透明なガラス材料や樹脂材料などを用いて形成されており、図３では、配光制御を行う部分だけを示しているが、ホルダなどに取付けられるように、例えは、車両左右幅方向（Ｘ軸方向）の両側部に図示しないフランジが設けられている。
【００２１】
本実施形態の第２レンズ３０は、光が照射される側から見る正面視で、外形が矩形状であり、光を出射する出射面３１がほぼ平らな平面となるようになっているが、平面に限らず、デザインなどの要求等に応じて自由に決めて良い。
【００２２】
一方、第２レンズ３０は、光が入射する入射面３２が光源２０側に突出する自由曲面で形成されており、具体的な配光制御の状態については後述するが、出射面３１の形状に応じて出射面３１から前方に照射される光が所定の配光パターンとなるように配光制御を行う面形状とされている。
【００２３】
また、第２レンズ３０の基本焦点ＳＦ（後方焦点）が光源２０よりも後方側となる光源光軸Ｚ上に位置している。
このようにすることで、第２レンズ３０を光源２０に近づけるように配置でき、灯具ユニット１０を前後方向にコンパクトなものとすることが可能である。
【００２４】
ここで、一般に、同じ材料であっても波長が異なると屈折率が異なり、この屈折率の波長依存性が大きいと、分光が起こりやすく、配光パターンの一部に青色分光色が現れやすくなる。
【００２５】
このため、第２レンズ３０に用いられる材料は、透明であれば、特に限定されるものではないが、屈折率の波長依存性の小さい材料にすることで分光の影響を小さくすることができるため、屈折率の波長依存性の小さいＰＭＭＡなどのアクリル系樹脂を用いるのが好適であり、本実施形態では、第２レンズ３０をアクリル系樹脂で形成している。
【００２６】
（第１レンズ）
第１レンズ４０は、透明なガラス材料や樹脂材料などを用いて形成されており、図３では、配光制御を行う部分だけを示しているが、ホルダなどに取付けられるように、例えは、車両左右方向（Ｘ軸方向）の両側部に図示しないフランジが設けられている。
【００２７】
第１レンズ４０は、光源２０からの光が入射する入射面４２が、水平方向と鉛直方向の二軸によって織り成される複合二次曲面として形成されおり、本実施形態では、第１レンズ４０の内側に緩やかに凹む曲面形状になっているが、水平方向の軸及び鉛直方向の軸が共に直線で規定される平面状の入射面であっても良いし、例えば、水平方向の軸が直線で規定され、鉛直方向の軸が内側に湾曲した曲線で規定された第１レンズ４０内に湾曲するような入射面であっても良い。
【００２８】
一方、第１レンズ４０の出射面４１は、具体的な配光制御の状態については後述するが、入射した光が所定の出射パターンとして第２レンズ３０側に照射されるように自由曲面で形成されている。
【００２９】
第１レンズ４０は、光源２０からの光を効率よく第２レンズ３０に入射させるために、光源２０と第２レンズ３０の間に配置されているが、より具体的には、後述するシェード５０の光源光軸Ｚ上に位置するように位置決めされる基準点ＣＰに第１レンズ４０の基本焦点ＰＦ（後方焦点）が一致するように配置されている。
なお、本実施形態では、第１レンズ４０から第１レンズ４０の基本焦点ＰＦまでの距離がほぼ５．５ｍｍになっている。
【００３０】
第１レンズ４０においても、第１レンズ４０に用いられる材料は、透明であれば、特に限定されるものではないが、第１レンズ４０は、光源２０の近くに配置されることになるため、耐熱性に優れるポリカーボネート系樹脂、シリコン（ＳＬＲ）、及びガラス等で形成されることが好適であり、本実施形態では、第１レンズ４０をポリカーボネート系樹脂で形成している。
【００３１】
（シェード）
シェード５０は、例えば、光を透過しない材料を用いて形成され、光源２０からの光の一部を遮光し、配光パターンのカットオフラインを形成する。
なお、シェード５０に光を透過する透明な材料を用いる場合には、光を透過しない塗料など用いて表面コーティングを行なえば良い。
【００３２】
図４は、シェード５０だけを主に示した図になっており、図４（ａ）は光源２０側からシェード５０の裏面を見た裏面図であり、図４（ｂ）は斜視図である。
なお、図４に示されるＺ軸は、図３に示した光源光軸Ｚと同じであり、図４に示されるＸ軸は、Ｚ軸に直交する図３に示した車両左右幅方向となる水平方向の軸であり、図４に示すＹ軸はＺ軸及びＸ軸に直交する図３に示した車両上下方向となる鉛直方向の軸である。
また、図４（ｂ）では、光源２０の発光チップ２１の発光面２１ａを示すようにしている。
【００３３】
図４に示すように、シェード５０は平板状であり、シェード５０の上辺５１は、カットオフラインを形成するために、カットオフラインの形状に形成されている。
なお、シェード５０は、厚さがほぼ０．２ｍｍの金属板で形成されている。
【００３４】
そして、図４（ａ）に示すように、斜めカットオフラインを形成するための傾斜部の上側頂点に位置するようにシェード５０の基準点ＣＰが設定されており、この基準点ＣＰは図４（ｂ）に示すように、光源光軸Ｚ上に位置するとともに、シェード５０の上辺５１の光源２０側の位置に設定されている。
なお、前述した第２レンズ３０は、第２レンズ３０の基本焦点ＳＦ（図３参照）が、このシェード５０の基準点ＣＰからほぼ１４ｍｍ後方側の光源光軸Ｚ上に位置するように配置されている。
【００３５】
また、シェード５０は、このシェード５０の基準点ＣＰが光源２０の発光面２１ａの発光中心からほぼ１ｍｍ前方に位置するように配置されている。
なお、上述したように、基準点ＣＰと第１レンズ４０の基本焦点ＰＦは一致しているので、光源２０は発光面２１ａが第１レンズ４０の基本焦点ＰＦより約１ｍｍ後方に位置するように配置されている。
【００３６】
このようにすると、図４（ｂ）に示すように、光源２０からの光の一部（光線Ｌ１参照）が、シェード５０の上辺５１の面で反射され、その反射された光（光線Ｌ１参照）が、配光パターンのカットオフラインの上方近傍に照射されるようになる。
【００３７】
つまり、シェード５０は、シェード５０の上辺５１の面で反射される光源２０からの光が、配光パターンのカットオフラインの上方近傍に照射される位置に設けられている。
この結果、カットオフラインの明暗境界線を暈すことができ、視認性の高いロービーム配光パターンとすることができるようになる。
【００３８】
次に、本実施形態の灯具ユニット１０の基本構成における配光制御に関して説明する。
まず、はじめに、第１レンズ４０と第２レンズ３０の配光制御のための基本的な構成から説明を行う。
【００３９】
図５は、第１レンズ４０と第２レンズ３０だけを上から見た上面図である。
図５に示すように、この基本的な配光制御のための設計は、現実の光源２０ではなく、第１レンズ４０の基本焦点ＰＦに仮想光源２０’が存在するものと仮定して行われており、図５において、基本焦点ＰＦから第１レンズ４０及び第２レンズ３０に向けて示される多数の直線は、この仮想光源２０’からの光線を示したものになっている。
また、図５に示す符号Ｃは、第２レンズ３０と第２レンズ３０の基本焦点ＳＦとを結ぶコーンＣを示すものである。
【００４０】
図５では、仮想光源２０’からの放射光線群の放射状の光の広がりをライトコーンＬＣとして示しているが、図５を見るとわかる通り、そのライトコーンＬＣは、第２レンズ３０と第２レンズ３０の基本焦点ＳＦとを結ぶコーンＣよりも急激に広がる状態となっており、コーンＣとライトコーンＬＣの広がり方が一致していない。
【００４１】
そして、仮想光源２０’のライトコーンＬＣのまま光が第２レンズ３０側に照射され、第２レンズ３０に光を入射させる場合、第２レンズ３０をかなり大きなものにすることになる。
【００４２】
そこで、仮想光源２０’と第２レンズ３０との間に、仮想光源２０’からのライトコーンＬＣを第２レンズ３０と第２レンズ３０の基本焦点ＳＦとを結ぶコーンＣの広がり状態に合わせるように変換する第１レンズ４０を配置するようにしている。
【００４３】
しかしながら、図５を見るとわかるように、第１レンズ４０の水平方向外側の入射面４２に入射する光については、コーンＣの広がり状態と同様な広がり角度の状態に変換しても、依然として、例えば点線ＬＯで示す光線のように、第２レンズ３０の入射面３２の外側に照射されることになる。
【００４４】
そこで、さらに、第１レンズ４０は、第１レンズ４０の水平方向外側の入射面４２に入射する仮想光源２０’からの光を第２レンズ３０の水平方向外側の入射面３２に入射させるように内向きに変換して第２レンズ３０に照射するように形成されている。
【００４５】
つまり、第１レンズ４０は、コーンＣの広がり状態と同様な広がり角度の状態に変換しただけでは第２レンズ３０の入射面３２の横方向外側に照射される点線ＬＯで示すような光線を内向きに変換して第２レンズ３０の入射面３２に照射するように形成されている。
【００４６】
具体的には、光源光軸Ｚを基準として、第１レンズ４０の入射面４２に対する仮想光源２０’からの光の照射角度θが３５度以上となる第１レンズ４０の水平方向外側の入射面４２に入射する光について、出射面４１から光が出射するときに、出射した光が第２レンズ３０の水平方向外側の入射面３２に入射するように内向きに変換して照射するように、出射面４１が形成されている。
【００４７】
なお、本実施形態では、照射角度θが３５度以上となる第１レンズ４０の水平方向外側の入射面４２に入射する光について、内向きに変換して第２レンズ３０に照射するようにしないと入射面３２に入射しないため、照射角度θが３５度以上となる第１レンズ４０の水平方向外側の入射面４２に入射する光を内向きに変換して第２レンズ３０に照射するようにしているが、照射角度θが３５度以上であることが必須の要件でないことは言うまでもない。
【００４８】
つまり、小型化のための第２レンズ３０の大きさに応じて、上述のように、第１レンズ４０の水平方向外側の入射面４２に入射する光で、コーンＣの広がり状態と同様な広がり角度の状態に変換したときに、第２レンズ３０の入射面３２よりも外側に照射されることになる光が入射する第１レンズ４０の水平方向外側の入射面４２に入射する光について内向きに変換して第２レンズ３０に照射するようにすればよい。
【００４９】
ここで、第１レンズ４０を設けない場合について考えると、まず、第２レンズ３０の基本焦点ＳＦが仮想光源２０’の発光中心若しくは発光中心近傍に位置するようにするためには、第２レンズ３０をかなり前方に配置するようにする必要があり、そして、第２レンズ３０に仮想光源２０’からの光を無駄なく入射するようにするためには、仮想光源２０’のライトコーンＬＣの広がりに合わせるように大きな第２レンズ３０とする必要がある。
【００５０】
一方、本実施形態では、第２レンズ３０と仮想光源２０’との間に、第１レンズ４０を設け、この第１レンズ４０によって、仮想光源２０’のライトコーンＬＣの広がりを第２レンズ３０と第２レンズ３０の基本焦点ＳＦとを結ぶコーンＣの広がり状態と同様な広がり角度の状態に変換するとともに、その変換だけでは第２レンズ３０の入射面３２から外れることになる第１レンズ４０の水平方向外側の入射面４２に入射する光を第２レンズ３０の水平方向外側の入射面３２に入射させるように内向きに変換して第２レンズ３０に照射するようにしている。
【００５１】
したがって、第２レンズ３０を大幅に仮想光源２０’に近づけて配置することができるとともに、第２レンズ３０の大きさも大幅に小さくすることが可能となる。
なお、第２レンズ３０を仮想光源２０’に近づけて配置できることは、実際の光源２０（図３参照）に第２レンズ３０を近づけて配置できることを意味する。
この結果、本実施形態では、小型化した第２レンズ３０を光源２０に近づけて配置できるため、前後方向にも左右方向にもコンパクトな灯具ユニット１０とすることができ、車両用灯具としてもコンパクトなものとすることが可能である。
【００５２】
次に、上記のような第１レンズ４０及び第２レンズ３０の基本的な構成に対して、図３を参照して説明したように、シェード５０及び光源２０を配置させ、カットオフラインを有するロービーム配光パターンを形成したときに、カットオフラインをより良好なものとするための構成について説明する。
【００５３】
図６は、より良好な配光パターンとする前の比較例としての配光パターンを示す図であり、より具体的には、上述した第１レンズ４０及び第２レンズ３０の基本的な構成に対して、シェード５０及び光源２０を加えただけの状態のときのスクリーン上での配光パターンを等光度線で示す図である。なお、図６において、ＶＵ−ＶＬはスクリーン上での鉛直線であり、ＨＬ−ＨＲはスクリーン上での水平線である。
【００５４】
なお、以降においても、スクリーン上での配光パターンが示される図においては、ＶＵ−ＶＬはスクリーン上での鉛直線であり、ＨＬ−ＨＲはスクリーン上での水平線である。
【００５５】
上述したように、シェード５０は、平板状であるため、シェード５０の基準点ＣＰと第１レンズ４０の基本焦点ＰＦとは一致しているものの、その基準点ＣＰから車両幅方向若しくは横方向に離れたシェード５０の上辺５１は、焦点ズレを起こすことになる。
【００５６】
このため、何もしないと、図６に示す丸囲み領域Ａのように下側水平カットオフラインが反り上がるようになり、また、丸囲み領域Ｂのように上側水平カットオフラインに緩やかな湾曲が現れる状態となる。
【００５７】
そこで、引き続き、以下では、このような反り上がりや湾曲を抑制するための第１レンズ４０の出射面４１の形状について説明する。
【００５８】
図７は、第１レンズ４０の入射面４２を光源２０側から見た図であり、主要な入射面４２の範囲だけを模式的に示している。
図７のＸ軸及びＹ軸は、これまでと同じであり、Ｘ軸が水平方向を示す軸であり、Ｙ軸が鉛直方向を示す軸であり、図７において上側が鉛直方向上側である。
【００５９】
入射面４２の中央側を基準に左右θの範囲は、図５を参照しながら説明した第１レンズ４０の基本焦点ＰＦに仮定した仮想光源２０’からの光の照射角度がθ（本例では左右それぞれ３５°）となる範囲を示している。
【００６０】
図７では、仮想光源２０’からの光の照射角度が、光源２０の光源光軸Ｚを基準とした水平方向角度で所定角度θ以上となる水平方向外側の外側入射面に数値が記載されているが、この数値は、第２レンズ３０の焦点位置の位置ズレ量を示したものになっている。
【００６１】
具体的に説明すると、第２レンズ３０の出射面３１（図５参照）側から光を第２レンズ３０の基本焦点ＳＦ側に向けて照射すると、光は、第１レンズ４０を経由して基本焦点ＳＦ側に向かうことになる。
【００６２】
このときに、図７に示す第１レンズ４０の入射面４２の水平方向外側の外側入射面から基本焦点ＳＦ側に出射する光について、その外側入射面に記載されている数値分だけ基本焦点ＳＦに対して焦点位置がズレるようになっていることを示している。
【００６３】
なお、外側入射面に記載されている数値がプラスである場合、そこを通過する光が基本焦点ＳＦに対して鉛直方向上側にその数値の分だけ焦点位置がズレ、逆にマイナスである場合、そこを通過する光が基本焦点ＳＦに対して鉛直方向下側にその数値の分だけ焦点位置がズレることを示している（なお、数値の単位はｍｍである）。
【００６４】
また、数値間の間に点線矢印を示しているが、この矢印は、その点線矢印の基端側から矢印先端側に向かって数値が補完されるように変化することを模式的に示したものである。
そして、この入射面４２における焦点位置のズラし状態は、この入射面４２に対応する出射面４１（図５参照）の形状によって実現している。
【００６５】
つまり、第１レンズ４０は、仮想光源２０’からの光の照射角度が、光源２０の光源光軸Ｚを基準とした水平方向角度で所定角度θ以上となる光源光軸Ｚを挟んで水平方向外側に位置する外側入射面のうちの光源光軸Ｚとほぼ同じ鉛直方向の高さ位置（基本焦点ＰＦと同じ高さ位置）から上側に位置する２つの上部入射面４２ａに対応する上部出射面が、第１レンズ４０の上部入射面４２ａの上部外側に対応する上部出射面ほど、第２レンズ３０の焦点位置を第２レンズ３０の基本焦点ＳＦに対して鉛直方向上側にズラすように形成されている。
【００６６】
なお、図７では、光源２０側から入射面４２を見ている図になっているが、第２レンズ３０側から見ても、第１レンズ４０の上部入射面４２ａの上部外側に対応する上部出射面ほど、第２レンズ３０の焦点位置を第２レンズの基本焦点ＳＦに対して鉛直方向上側にズラすように形成されている状態になっている。
【００６７】
ここで、図７の左側の上部入射面４２ａが図６の配光パターンＬＰの右側のカットオフラインの反り上がり部分（図６の丸囲み領域Ａ）への寄与度が高く、図７の右側の上部入射面４２ａが図６の配光パターンＬＰの左側のカットオフラインの湾曲部分（図６の丸囲み領域Ｂ）への寄与度が高く、上述のように、第２レンズ３０の焦点位置を基本焦点ＳＦに対して鉛直方向上側にズラすようにすると、この部分に対応した第２レンズ３０の出射面３１から前方に照射される光は下側に下がるようになる。
【００６８】
この結果、反り上がり部分（図６の丸囲み領域Ａ）及び湾曲部分（図６の丸囲み領域Ｂ）が下側に下がるように調節されることになり、フラットなカットオフラインとなる。
【００６９】
一方、さらに、図７に示すように、第１レンズ４０は、外側入射面のうちの光源光軸Ｚとほぼ同じ鉛直方向の高さ位置（基本焦点ＰＦと同じ高さ位置）から下側に位置する２つの下部入射面４２ｂに対応する下部出射面についても、第１レンズ４０の下部入射面４２ｂの下部外側に対応する下部出射面ほど、第２レンズ３０の焦点位置を第２レンズ３０の基本焦点に対して鉛直方向下側にズラすように形成している。
【００７０】
なお、図７では、光源２０側から入射面４２を見ている図になっているが、第２レンズ３０側から見ても、第１レンズ４０の下部入射面４２ｂの下部外側に対応する下部出射面ほど、第２レンズ３０の焦点位置を第２レンズ３０の基本焦点に対して鉛直方向下側にズラすように形成されている状態になっている。
【００７１】
つまり、この第１レンズ４０の下部入射面４２ｂを通過する光については、少し配光パターンＬＰ（図６参照）の上側に上がるように調整することで、先ほどの上部入射面４２ａによる調整と合わせることでより配光パターンＬＰの左側の上側水平カットオフライン及び配光パターンＬＰの右側の下側水平カットオフラインのフラット化を行うようにしている。
【００７２】
このような配光制御を行うようにすると、図８に示す配光パターンＬＰの状態となり、先ほど図６で見られていた反り上がりや湾曲の無い良好な配光パターンＬＰとなる。
【００７３】
ところで、図８に示す配光パターンＬＰよりも、さらに配光パターンを水平方向に拡げることで視認性向上が図れため、以下では、そのための配光制御の構成に関して説明する。
【００７４】
図９は、第１レンズ４０、シェード５０、及び、光源２０の発光チップ２１を上から見た上面図であり、図９上側には、模式的な配光パターンの図を合わせて示しており、図９では、新たに符号ＣＰ’のポイントが加わっている。
このＣＰ’は、光源光軸Ｚ上に位置するシェード５０の上辺５１の第１レンズ４０側の位置である。
【００７５】
そして、図９に示すように、発光チップ２１の左右両端から位置ＣＰ’を通る線（矢印Ｔ１、Ｔ２参照）によってエリアを区切ると、まず、線で挟まれるエリア（１）の範囲内の光は、図９の上側に示す（１）の配光パターンを形成している。
つまり、エリア（１）の範囲内の光は、配光パターンの全体の形状とほぼ同じ形状の配光パターンを形成する。
【００７６】
一方、左側のエリア（２）の範囲内の光は、図９の上側に示す（２）の配光パターン、つまり、右側の下側カットオフラインに対応する配光パターン部分の形状とほぼ同じ形状の配光パターンを形成している。
【００７７】
同様に、右側のエリア（３）の範囲内の光は、図９の上側に示す（３）の配光パターン、つまり、左側の上側カットオフライン及び斜めカットオフラインに対応する配光パターン部分の形状とほぼ同じ形状の配光パターンを形成している。
【００７８】
そして、これら（１）〜（３）の配光パターンが多重されることで図８に示した配光パターンＬＰを形成している。
このことから、（２）及び（３）の配光パターンが（１）の配光パターンに対して左右方向にズラすように多重させるようにすることで配光パターンを水平方向に拡げることができる。
【００７９】
具体的には、（３）の配光パターンが（１）の配光パターンの左側にズレるように配光制御して多重させるようにすることで斜めカットオフラインに影響を与えずに全体の配光パターンの水平方向の範囲を左側に拡げることができ、同様に、（２）の配光パターンが（１）の配光パターンの右側にズレるように配光制御して多重させるようにすることで、やはり、カットオフラインに影響を与えることなく、全体の配光パターンの水平方向の範囲を右側に拡げることができる。
【００８０】
そこで、このような配光制御を第２レンズ３０で行うようにしている。
図１０は、第２レンズ３０の配光制御を説明するための図である。
図１０でも、図９での説明に合わせて、第２レンズ３０から出射する光のどの範囲が、図９に示したエリア（１）、（２）、及び、（３）の光に対応しているのかを、両矢印で範囲（１）、（２）、及び、（３）として示している。
【００８１】
先に、説明したように、第２レンズ３０は、出射面３１に関しては、任意であり、その与えられた出射面３１の形状を考慮して入射面３２の形状を制御することで配光制御を行っている。
なお、図１０においても、光線に関しては、仮想光源２０’からの光線を描いている。
【００８２】
図１０に示すように、第２レンズ３０の入射面３２は、光源２０（図３参照）側から見て、第２レンズの入射面３２の図９で示したエリア（１）に対応する中央側部分に入射する光をほぼ平行光の状態で第２レンズ３０の出射面３１（図１０の両矢印（１）の範囲参照）から前方側に照射し、光源２０側から見て、図９で示したエリア（１）に対応する中央側部分よりも水平方向左側の第２レンズ３０の入射面３２に入射する光を第２レンズ３０の出射面３１（図１０の両矢印（２）の範囲参照）から右側前方に照射し、光源２０側から見て、図９で示したエリア（３）に対応する中央側部分よりも水平方向右側の第２レンズ３０の入射面３２に入射する光を第２レンズ３０の出射面３１（図１０の両矢印（３）の範囲参照）から左側前方に照射する形状に形成されている。
【００８３】
図１１は、配光パターンを拡げた結果を示すための図であり、図１１（ａ）は、配光パターンＬＰを拡げる前の図８に示したスクリーン上での配光パターンであり、図１１（ｂ）は、上述の第２レンズ３０による配光パターンを拡げる配光制御を行ったときのスクリーン上での配光パターンを等光度線で示した図である。
【００８４】
図１１（ａ）及び図１１（ｂ）を見比べればわかるように、図１１（ｂ）に示される第２レンズ３０による配光パターンを拡げる配光制御を行ったとき配光パターンＬＰも図１１（ａ）の配光パターンＬＰと同じ良好なカットオフラインを維持したまま、配光パターンＬＰが水平方向に拡がり視認性の高い良好なものになっている。
以上のような基本的な構成によって、カットオフラインを有するメイン配光を形成することができる。
【００８５】
ところで、上記のような基本的な構成では、従来技術で例示した車両用灯具のように、導光部を利用してレンズの所定の範囲に光を入射させる構成を有していない。
ここで、導光部を導波できる光は、臨界角を超えない光であり、臨界角を超えるような光は導光部から漏洩する。
このため、従来技術で例示した車両用灯具のように、導光部を利用してレンズの所定の範囲に光を入射させる構成とした場合には、この漏洩光がレンズの予期せぬ部分に再入射してグレア光となる恐れがあるが、本実施形態のような構成とすれば、そのような心配はない。
【００８６】
また、灯具ユニットのサイズの点で見ても、第２レンズ３０と光源２０との間には、第１レンズ４０が配置され、その第１レンズ４０によって、ライトコーンＬＣを変換しただけでは、第２レンズ３０に入射できない光を第２レンズ３０に入射させるように光を内向きに変換する配光制御を行っているので、小型の第２レンズ３０を光源２０に近づけて配置できる構成になっており、小型化が可能になっている。
【００８７】
以上、カットオフラインを有するメイン配光を形成するための基本的な構成について説明してきたが、このようにして構成される配光パターンは、図１１（ｂ）に示した通りであり、図１１（ｂ）を見るとわかるように、配光パターンＬＰの中央側に逆台形状の光度の高い配光部分ＭＰがある。
【００８８】
このような光度の高い配光部分ＭＰがあると、その配光部分ＭＰが路面に強く映り込むことになるので暈すようにするのが好適である。
また、配光パターンＬＰの中央下側は、明暗境界線がハッキリした状態になっており、視認性を向上させるためには、この部分も暈すようにするのが好適である。
【００８９】
そこで、さらに、第１レンズ４０の配光制御を工夫することで、配光部分ＭＰ及び配光パターンＬＰの中央下側の明暗境界線部分を暈すようにするための構成について、以下で説明する。
以下、詳しく説明するがこの第１レンズ４０の配光制御をさらに工夫した部分が、はじめに図２を参照して触れた主レンズ部４０Ａの上側レンズ部４０ａである。
【００９０】
（上側レンズ部）
図１２は、図１１（ｂ）の配光パターンＬＰをさらに改善するためのポイントを説明するための図であり、図１２を参照しながら図１１（ｂ）の配光パターンＬＰをさらに改善するためのポイントについて、まず説明を行い、その後、具体的な構成について説明する。
図１２（ａ）は、第１レンズ４０、シェード５０及び光源２０の発光チップ２１を横から見た側面図である。
【００９１】
図１２（ｂ）は、図１２（ａ）の第１レンズ４０の出射面４１から照射される光のうち、点線で示したところより上側の出射面４１から照射される光で形成されるスクリーン上での配光パターンを等光度線で示した図である。
なお、図１２（ｂ）は、第２レンズ３０を透過後の配光パターンである。
【００９２】
また、図１２（ｃ）は、点線で示したところより下側の出射面４１から照射される光で形成されるスクリーン上での配光パターンを等光度線で示した図である。
なお、図１２（ｃ）も第２レンズ３０を透過後の配光パターンである。
そして、図１２（ｂ）及び図１２（ｃ）に示した配光パターンが多重されることで図１１（ｂ）の配光パターンＬＰが構成されることになる。
【００９３】
ここで、図１２（ｂ）に着目すると、図１１（ｂ）の配光パターンＬＰの中央に現れる逆台形状の光度の高い配光部分ＭＰと同様に逆台形状の高光度の配光部分ＭＰ’が見られる。
また、図１２（ｂ）の配光パターンの中央下側の明暗境界線の部分は、図１１（ｂ）の配光パターンＬＰの中央下側の明暗境界線部分と酷似した状態であることが見て取れる。
【００９４】
一方、図１２（ｃ）の配光パターンには、逆台形状の高光度の配光部分は見られず、また、配光パターンの中央下側の明暗境界線部分も図１１（ｂ）の配光パターンＬＰの中央下側の明暗境界線部分とそれほど酷似していない。
このことから、第１レンズ４０の出射面４１から照射される光で形成される配光部分ＭＰ’により、図１１（ｂ）の配光部分ＭＰや図１１（ｂ）の配光パターンＬＰの明暗境界線部分が生じていると考えられるため、図１１（ｂ）の配光部分ＭＰ及び配光パターンＬＰの中央下側の明暗境界線部分を暈すためには、図１２（ｂ）の配光パターンを暈すようにすれば、良いと考えられる。
【００９５】
そこで、以下では、具体的に図１２（ｂ）の配光パターンを暈すようにするための構成について説明する。
まず、図１２（ａ）に示す第１レンズ４０の出射面４１の点線より上側の出射面がどのように規定されるのかについて説明する。
【００９６】
点線より上側の出射面は、図１２（ａ）に示すように、第１レンズ４０の基本焦点ＰＦから第１レンズ４０の入射面４２に直線（矢印Ｔ３参照）を描いた時に、光源２０の光源光軸Ｚと直線（矢印Ｔ３参照）とがなす鉛直方向角度が所定角度β以上となる鉛直方向上側の上側入射面４２ｃに対応する出射面４１になっており、図１２（ａ）の点線は、上側入射面４２ｃに対応する出射面４１の下端である。
【００９７】
そして、この所定角度βは、光源２０の発光チップ２１の下端から第１レンズ４０の基本焦点ＰＦ（シェード５０の基準点ＣＰでもある）を通る直線（矢印Ｔ３参照）と光源２０の光源光軸Ｚとのなす角度になっており、本実施形態では所定角度βはほぼ３０°になっている。
【００９８】
そこで、この上側の出射面４１とそれよりも下側の出射面４１とを分割して配光制御を行うようにし、図１２（ｃ）に示した配光パターンはそのままで、図１２（ｂ）に示した配光パターンを暈すようにする。
【００９９】
具体的には、第２レンズ３０（図３参照）側から光を第２レンズ３０の基本焦点ＳＦ（図３参照）に向けて照射したときに、所定角度β以上となる鉛直方向上側の上側入射面４２ｃに対応する出射面４１において、第２レンズ３０の焦点が第２レンズ３０の基本焦点ＳＦに対して水平方向及び鉛直方向にズレるように第１レンズ４０の上側の出射面４１の形状を調節する。
【０１００】
図１３は、第１レンズ４０を示した斜視図であり、Ｘ軸、Ｙ軸及びＺ軸は、これまでと同様である。
上述したように、第１レンズ４０は、上側の出射面４１と下側の出射面４１を分割するようにすることで配光制御を行うようにする。
【０１０１】
そのために、第１レンズ４０は、図１２（ａ）を参照して説明したように、第１レンズ４０の基本焦点ＰＦから第１レンズ４０の入射面４２に直線を描いた時に、光源２０の光源光軸Ｚと直線（図１２（ａ）の矢印Ｔ３参照）とがなす鉛直方向角度が所定角度β以上となる鉛直方向上側の上側入射面４２ｃに対応する部分が、図１３に示すように、上側レンズ部４０ａとされている。
【０１０２】
なお、このように上側レンズ部４０ａを構成する場合には、図７を参照して説明した上部入射面４２ａ及び上部入射面４２ａは、光源２０の光源光軸Ｚよりも上側で上側レンズ部４０ａに至るまでの範囲とされ、その上部入射面４２ａ及び上部入射面４２ａに対応する上部出射面も光源２０の光源光軸Ｚよりも上側で上側レンズ部４０ａに至るまでの範囲とされることになる。
【０１０３】
また、図７を参照して説明した下部入射面４２ｂ及び下部入射面４２ｂに対応する下部出射面は、このように上側レンズ部４０ａを構成する場合でも実質的に範囲は変わらない。
【０１０４】
図１４は、上述の第１レンズ４０の入射面４２の主要な範囲を光源２０側から見た図であり、Ｘ軸及びＹ軸は図１３と同様であり、図上側が鉛直方向上側である。
なお、図１４（ａ）は、第２レンズ３０の焦点位置を基本焦点ＳＦに対して鉛直方向にズラす内容を説明するための図であり、図１４（ｂ）は、焦点位置を水平方向にズラす内容を説明するための図である。
【０１０５】
具体的には、まず、図１４（ａ）に示すように、上側レンズ部４０ａ（図１３参照）は、上側入射面４２ｃに対応する上側出射面４１ｃ（図１３参照）が、上側入射面４２ｃの上側に対応する上側出射面４１ｃほど、図１４（ａ）に示す数値分だけ第２レンズ３０の焦点位置を第２レンズ３０の基本焦点ＳＦに対してズラすように、上側出射面４１ｃ（図１３参照）が形成されている。
【０１０６】
なお、図１４（ａ）に示す数値も図７で説明したのと同様に、数値間の間が補完されるようになっているものであり、数値の単位はｍｍである。
また、数値がプラスの場合は、第２レンズ３０の基本焦点ＳＦに対して鉛直方向上側に焦点位置がズレることを示している。
【０１０７】
ここで、鉛直方向における上下関係は、第２レンズ側から見ても同じであるので、図１４（ａ）に示す状態は、上側入射面４２ｃに対応する上側出射面４１ｃ（図１３参照）が、第２レンズ３０側から見たときに、上側入射面４２ｃの上側に対応する上側出射面４１ｃほど、第２レンズ３０の焦点位置を第２レンズ３０の基本焦点ＳＦに対して鉛直方向上側にズラすようになっている。
【０１０８】
さらに、上側レンズ部４０ａは、上側出射面４１ｃ（図１３参照）が第２レンズ３０の焦点位置を第２レンズ３０の基本焦点ＳＦに対して鉛直方向上側にズラすように形成されているだけでなく、水平方向にもズラすように形成されており、以下、この水平方向に焦点位置をズラすことについて図１４（ｂ）を参照して説明する。
【０１０９】
図１４（ｂ）に示す数値は、図１４（ａ）と同様に数値間の間が補完されるようになっているものであり、数値の単位もｍｍであるが、図１４（ｂ）のプラスの表記は基本焦点ＳＦの後方側から見て右側に焦点位置がズレることを表しており、マイナスの表記は左側に焦点位置がズレることを表している。
【０１１０】
そして、図１４（ｂ）に示す状態を第２レンズ３０側から見るようにした場合、左右の関係だけが逆転する。
したがって、第１レンズ４０の上側レンズ部４０ａの上側出射面４１ｃ（図１３参照）は、第２レンズ３０側から見たときに、水平方向中央から右外側の上側入射面４２ｃに対応する上側出射面４１ｃほど、第２レンズ３０の焦点位置を第２レンズ３０の基本焦点ＳＦに対して右側にズラし、水平方向中央から左外側の上側入射面４２ｃに対応する上側出射面４１ｃほど、第２レンズ３０の焦点位置を第２レンズ３０の基本焦点ＳＦに対して左側にズラすように形成されている。
【０１１１】
第１レンズ４０の上側レンズ部４０ａを以上のように構成すると、まず、第２レンズ３０の焦点位置を第２レンズ３０の基本焦点ＳＦに対して鉛直方向上側にズラしたことによって図１２（ｂ）に示す配光パターンを下側に拡げるように暈すことができる。
【０１１２】
なお、このように配光制御しておくと、光源２０の鉛直方向の位置ズレが起きても上方側に光が照射されることが起き難くなるため、光源２０の鉛直方向の位置ズレによるグレア光の発生が起き難くなる。
【０１１３】
また、第２レンズ３０の焦点位置を第２レンズ３０の基本焦点ＳＦに対して水平方向にズラすことによって、配光パターンを水平方向に拡げて好適に図１２（ｂ）に示す配光パターンの逆台形状の光度の高い配光部分ＭＰ’を暈すことができる。
【０１１４】
この結果、図１２（ｂ）に示した配光パターンは、図１５に示すように、逆台形状の光度の高い配光部分ＭＰ’がなく、且つ、明暗境界線がハッキリした部分を有していない良好な配光パターンとなる。
【０１１５】
そして、図１６に図１２（ｃ）の配光パターンと図１５の配光パターンとが多重された配光パターンＬＰ（灯具ユニットのメイン配光であるロービーム配光パターン）を示しているが、図１１（ｂ）の配光パターンＬＰに現れていた逆台形状の光度の高い配光部分ＭＰがなくなり、また、配光パターンの中央下側のハッキリとした明暗境界線もなくなっていることがわかる。
【０１１６】
ところで、第１レンズ４０は、上側レンズ部４０ａを形成するように出射面４１を上側と下側とで分割しているため、図１３を見るとわかるように、上側出射面４１ｃとそれよりも下側の出射面４１との間に段差が存在する。
【０１１７】
この段差からの光が上方に照射されてグレア光にならないようにするために、図１３に示すように、上側レンズ部４０ａの上側出射面４１ｃと上側レンズ部４０ａの下側に位置する第１レンズ４０のレンズ部分４０ｂの出射面４１ｄとの繋がり面４５は、上側出射面４１ｃの下端から前方に延出して上側レンズ部４０ａの下側に位置する第１レンズ４０のレンズ部分４０ｂの出射面４１ｄの上端に繋がる延出面としておくことが好適である。
つまり、上側レンズ部４０ａの上側出射面４１ｃが下側に位置する第１レンズ４０の出射面４１ｄよりも前方側に位置しないようにするのが好適である。
【０１１８】
このように構成しておくと、繋がり面４５に入射する光が下方側に向くように照射されることになるのでグレア光の発生を抑制することができる。
以上のように、構成することで斜めカットオフパターンを有する良好なロービーム配光パターンであるメイン配光を形成することができる。
【０１１９】
ところで、本実施形態では、斜めカットオフパターンを有するメイン配光を形成するためにシェード５０を用いて形成しているため、第１レンズ４０の下側の部分には、光源２０からの光が入射しない部分が存在する。
つまり、これまでの説明は、この光源２０からの光がシェード５０によって遮られずに光が入射するレンズ部分（図２の主レンズ部４０Ａ参照）の入射面や出射面などについて説明してきた。
【０１２０】
しかしながら、第１レンズ４０の下側には、光が入射せずメイン配光の形成に使用されていない部分が存在するため、この使用していない部分をうまく活用することで標識や看板などに光を照射するオーバーヘッド配光のような上方に照射する配光パターンを形成することが可能である。
【０１２１】
そして、そのようにすれば、別の灯具ユニットを用いずとも１つの灯具ユニットだけで、メイン配光の上方に照射するオーバーヘッド配光のような配光パターンも形成することが可能である。
【０１２２】
以下では、このメイン配光の形成に使用されていない第１レンズ４０の下側の部分、つまり、図２で示した副レンズ部４０Ｂを活用して、メイン配光の上方に照射する配光パターンを形成する構成について詳細な説明を行う。
【０１２３】
なお、上記では、メイン配光として斜めカットオフラインを有するロービーム配光パターンの場合について説明してきたが、地域によっては、カットオフラインに斜めカットオフラインを設けない場合があるので、あくまでも、上記メイン配光を形成するための詳細な構成は、一例であることに留意されたい。
【０１２４】
斜めカットオフラインを有していないロービーム配光パターンの場合には、シェード５０の上辺５１の形状をそのロービーム配光パターンのカットオフラインの形状に合わせるようにするとともに、第１レンズ４０の主レンズ部４０Ａ（図２参照）の出射面の形状を調節するようにすれば良い。
【０１２５】
したがって、詳細に上述した斜めカットオフラインを有するロービーム配光パターンと異なるロービーム配光パターンをメイン配光とする場合であっても、シェード５０を用いて所定のカットオフラインを形成し、第１レンズ４０の主レンズ部４０Ａでメイン配光（所定のロービーム配光パターン）を形成するようにすることに変わりはない。
【０１２６】
しかしながら、シェード５０の上辺５１の形状や第１レンズ４０の主レンズ部４０Ａの部分については、所望のメイン配光（ロービーム配光パターン）に合わせて適宜調整されることになるので、シェード５０の上辺５１の形状や第１レンズ４０の主レンズ部４０Ａの入射面や出射面などの具体的な形状については、上記で詳細に説明したものに限定されるものでない点について留意されたい。
【０１２７】
（メイン配光の上方に照射する配光パターンの形成）
まず、最初に図１７を参照しながら第１レンズ４０において、副レンズ部４０Ｂとする領域について説明を行う。
【０１２８】
図１７は、副レンズ部４０Ｂとする領域を説明するための図であり、第１レンズ４０と、シェード５０と、光源２０の発光チップ２１だけを示した図になっている。
なお、図１７において、Ｚ軸及びＹ軸は、これまでの図と同様であり、Ｘ軸については、Ｚ軸及びＹ軸の交点に重なることになるので図示を省略している。
【０１２９】
図１７に示すように、発光チップ２１の上端と第１レンズ４０の基本焦点ＰＦ（シェード５０の基準点ＣＰでもある）を結ぶ直線である矢印Ｔ４が第１レンズ４０の入射面４２と交差する位置よりも下側の入射面４２には、光源２０からの光がシェード５０によって遮られ、基本的に入射しない。
【０１３０】
なお、矢印Ｔ４で示す直線は、第１レンズ４０の基本焦点ＰＦ（シェード５０の基準点ＣＰでもある）を原点として、光源光軸Ｚに対して鉛直方向の角度γとなる直線となっており、本実施形態では、角度γが約３０度になっている。
【０１３１】
したがって、第１レンズ４０の基本焦点ＰＦ（シェード５０の基準点ＣＰでもある）を原点として光源光軸Ｚに対して鉛直方向角度で約３０度以上となる第１レンズ４０の下側の入射面４２に対応する部分を副レンズ部４０Ｂとして、この副レンズ部４０Ｂをオーバーヘッド配光などのようなメイン配光の上側に照射する配光パターンを形成するのに用いることで、これまで説明してきたメイン配光に影響することなく、メイン配光の上側に照射する配光パターンを形成することが可能となる。
【０１３２】
以下、より具体的に、オーバーヘッド配光などのようなメイン配光の上方に照射する配光パターンを形成するための構成について説明する。
図２に示すように、光源２０からの光を副レンズ部４０Ｂに入射させるために、シェード５０には、開口５２が形成されている。
【０１３３】
図１８は、シェード５０を光源２０側から見た図である。
なお、図１８においても、Ｙ軸及びＸ軸は、これまでと同様であり、光源光軸Ｚは、Ｙ軸及びＸ軸の交点に重なるので図示を省略している。
また、図１８では、発光チップ２１の位置を模式的に示している。
【０１３４】
図１８に示すように、シェード５０に形成される開口５２は、シェード５０の左右中央側（左右方向で光源光軸Ｚが位置する位置）から左右外側に向かって開口５２の上辺５２ａが下側に下がる略円弧状に形成された開口５２になっており、本実施形態では、正２０角形で円を近似した時の一部の円弧状である略円弧状の上辺５２ａとなっている。
なお、開口５２の底辺５２ｂは、上辺５２ａの左右の端を直線で繋ぐ形状になっており、開口５２は、ほぼ三日月形状になっている。
【０１３５】
開口５２を通過する光源２０（発光チップ２１）からの光は、開口５２の左右外側を通る光ほど光源２０（発光チップ２１）から斜めに照射された光であるため、開口５２の上辺５２ａを直線にしておくと、開口５２の左右外側を通過した光ほど第１レンズ４０の上側に入射することになる。
そうすると、開口５２の左右外側を通過した光が、副レンズ部４０Ｂよりも上に照射され、主レンズ部４０Ａに入射する恐れがある。
【０１３６】
これを回避するために、開口５２を形成する位置を鉛直方向下側に位置させることも可能であるが、そうすると、開口５２の左右中央側を通過する光は、副レンズ部４０Ｂのより下側に入射することになり、副レンズ部４０Ｂの左右中央側に光が入射しない領域を多く作る結果となるため、配光パターンを形成するための十分な光量を確保し難くなる。
【０１３７】
一方、本実施形態のように、開口５２の上辺５２ａを円弧状にしておくと、第１レンズ４０の入射面４２に対して照射される光束の上端が左右方向で鉛直方向の位置が揃った直線状の上端にすることができる。
【０１３８】
このため、開口５２全体を下側に位置させるように形成しなくても、主レンズ部４０Ａに光が入射することを回避できるので、副レンズ部４０Ｂの左右中央側にも光を良好に入射させることができ、良好に配光パターンを形成するための光量を確保することができる。
【０１３９】
また、図２及び図１８に示すように、詳細については、後ほど説明するが、シェード５０には、開口５２の上辺５２ａから第１レンズ４０側に向かって所定の角度で下方に傾斜するようにひさし５３が設けられている。
【０１４０】
上述のように、開口５２の上辺５２ａの形状を多角形としておくと、この開口５２を形成するときに、折り曲げることでひさし５３を形成できるように略短冊状の切残し部分を設けるようにしやすいため、この点からしても開口５２の上辺５２ａを多角形で略円弧状となるように形成することが好適である。
【０１４１】
なお、開口５２となる材料部分の一部を残しておき、金型などで成形する場合には、上辺５２ａを角形でない滑らかな円弧状としつつ、ひさし５３を同時に成形することも可能であることから、必ずしも開口５２の上辺５２ａが多角形で略円弧状となるようにされている必要はない。
【０１４２】
図１９は、光源２０（発光チップ２１）からの光がシェード５０の開口５２を通過して副レンズ部４０Ｂに照射される状態を示した図である。
先ほど、図１７を参照しながら説明したように、副レンズ部４０Ｂが、発光チップ２１の上端と第１レンズ４０の基本焦点ＰＦ（シェード５０の基準点ＣＰ）とを結ぶ延長線が第１レンズ４０の入射面４２に交わる位置よりも下側のレンズ部分に形成されることについて説明した。
【０１４３】
一方で、図１９に示すように、この副レンズ部４０Ｂに光を照射させるために設けられる開口５２の上辺５２ａの最も鉛直方向上側に位置する位置は、基本焦点ＰＦ（シェード５０の基準点ＣＰ）よりも約０．９ｍｍ下側に位置するようになっている。
【０１４４】
このため発光チップ２１の下端から開口５２の上側を通過するように照射される光（光線Ｌ２参照）が、副レンズ部４０Ｂの最も上側に入射することになるが、その光（光線Ｌ２参照）でも、主レンズ部４０Ａと副レンズ部４０Ｂとの境目よりも下側にしか照射されない。
【０１４５】
このため、開口５２は、主レンズ部４０Ａと副レンズ部４０Ｂの境目に光が照射されない位置に位置するようになっており、主レンズ部４０Ａと副レンズ部４０Ｂの境目の段差４７で光が反射されてグレア光になることが回避できるようになっている。
【０１４６】
ところで、図１９に示す発光チップ２１の位置は、設計中心の位置であるが、実際に灯具ユニット１０を組立てる上では、組立誤差のために発光チップ２１の位置が図１９に示す位置よりも少し下側に位置するような場合も考えられる。
【０１４７】
そうすると、先ほどの光線Ｌ２に該当する発光チップ２１の下端から開口５２の上側に向かう光は、仮に、ひさし５３がないとすれば、より第１レンズ４０の上側の入射面４２に入射するように開口５２を通過することになる。
【０１４８】
しかしながら、本実施形態のように、開口５２から第１レンズ４０側に向かって所定の角度で下方に傾斜するひさし５３を設けることで、そのような光を遮光して、主レンズ部４０Ａと副レンズ部４０Ｂの境目に光が照射されることを回避することが可能となり、また、当然、主レンズ部４０Ａ側に光が照射されることも回避することができる。
【０１４９】
本実施形態では、ひさし５３は、幅が約２ｍｍで光源光軸Ｚを基準としたときに下側に３５°傾斜するようにしている。
ひさし５３の傾斜をより大きくすれば、その分だけ発光チップ２１が大きく位置ズレしてもグレア光の発生を抑制する効果が得られるが、ひさし５３の傾斜が大きくなると開口５２を通過する光を遮光するようになっていき、必要な光量が得られなくなることから、組立工程で許容される発光チップ２１の位置ズレ量（組立て誤差）を基準に適切な傾斜角度となるようにひさし５３の角度を決めるのが好ましく、また、ひさし５３の幅についても同様である。
【０１５０】
なお、本実施形態では、図１８を見るとわかるように、ひさし５３は、開口５２の上辺５２ａの左右中央側を基準とした所定の範囲、つまり、左右中央から上辺５２ａに沿って左外側に向かった約５０％の範囲、及び、左右中央から上辺５２ａに沿って右外側に向かった約５０％の範囲に設けるようにしている。
しかしながら、これに限定されるものではなく、ひさし５３は、発光チップ２１の位置ズレを考慮した時に必要と考えられる所定の範囲に設けるようにすればよい。
【０１５１】
次に、副レンズ部４０Ｂの配光制御のための構成について説明する。
なお、メイン配光のための構成について説明していたところでは、例えば、図１３のように、上側レンズ部４０ａの下側に位置する第１レンズ４０のレンズ部分４０ｂは、第１レンズ４０の最下端までのような図示になっているが、実際には、開口５２を設けていないシェード５０の状態において光が入射することができる範囲がレンズ部分４０ｂであるので、正確には、図１９に示すように、主レンズ部４０Ａと副レンズ部４０Ｂの境目が、レンズ部分４０ｂの下端であり、第１レンズ４０全体で見れば、レンズ部分４０ｂは中央に位置するレンズ部となるが、主レンズ部４０Ａとしては下側レンズ部４０ｂであり、その下側レンズ部４０ｂの、さらに下側のレンズ部分に副レンズ部４０Ｂが設けられる。
【０１５２】
この副レンズ部４０Ｂの部分を活用してメイン配光の上方に照射するオーバーヘッド配光のような配光パターンを形成するが、より具体的には、副レンズ部４０Ｂの出射面４１ｅを主レンズ部４０Ａの出射面から分割して、自由曲面でオーバーヘッド配光のような配光パターンを形成するための形状となるようにする。
【０１５３】
この出射面４１ｅについて、今から詳細に説明するが、以下の説明がわかり易いように出射面４１ｅの設計における概略について述べておくと、副レンズ部４０Ｂの出射面４１ｅは、副レンズ部４０Ｂの入射面４２ｅに入射した光が形成する配光像（第２レンズ３０を透過後の配光像）を左右上下方向に拡大する形状となる基本形状になっている。
【０１５４】
そして、その左右上下方向に配光像を拡大する基本形状の出射面４１ｅに対して、さらに、メイン配光の上側に向けて車両前方に照射される配光パターンが逆台形状となるように出射面４１ｅの形状が調節され、そのように調節された出射面４１ｅが副レンズ部４０Ｂの出射面４１ｅになっており、この概略説明の流れに沿って、以下、具体的に説明を行う。
【０１５５】
まず、図２０及び図２１を参照しながら、配光像を左右上下方向に拡大するための構成について説明する。
配光像を左右方向に拡大するために、出射面４１ｅは、第２レンズ３０側から見たときの第２レンズ３０の焦点位置を第２レンズ３０の基本焦点ＳＦに対して、これから図２０を参照しながら説明するように左右方向にズラすように形成されている。
【０１５６】
また、配光像を上下方向に拡大するために、出射面４１ｅは、第２レンズ３０側から見たときの第２レンズ３０の焦点位置を第２レンズ３０の基本焦点ＳＦに対して、これから図２１を参照しながら説明するように上下方向にズラすように形成されている。
【０１５７】
以下、配光像の左右方向への拡大の構成、配光像の上下方向への拡大の構成の順番で説明を行う。
【０１５８】
（配光像の左右方向への拡大）
図２０は、配光像を左右方向に拡大するために、出射面４１ｅが第２レンズ３０側から見たときの第２レンズ３０の焦点位置をどのようにズラしているかを説明するための図であり、図２０（ａ）は第１レンズ４０の入射面４２の主要な範囲を光源２０側から見た図であり、図２０（ｂ）は焦点位置のズレが理解しやすいように示した図である。
【０１５９】
図２０（ａ）では、副レンズ部４０Ｂの入射面４２ｅに対応する部分についてだけ焦点位置のズラし量を示す数値を記載しており、それよりも上側の入射面４２の部分は、主レンズ部４０Ａの入射面であり、メイン配光の構成で説明した通りである。
【０１６０】
なお、図２０においても、Ｚ軸、Ｙ軸及びＸ軸は、これまでと同様であり、図２０（ａ）の数値の単位はｍｍであり、図２０（ｂ）に示す通り、後方側から見たときに第２レンズ３０の基本焦点ＳＦに対して右側に焦点位置がズレる場合をプラスで表し、左側にズレる場合をマイナスで表している。
【０１６１】
図２０（ａ）に示すように、副レンズ部４０Ｂの入射面４２ｅの左右中央側の数値は０ｍｍとなっている。
つまり、第２レンズ３０の出射面３１から光を基本焦点ＳＦ側に向けて入射させたときに、副レンズ部４０Ｂの入射面４２ｅの左右中央側から基本焦点ＳＦ側に向かって出射する光の焦点位置のズレ量は０ｍｍであるので基本焦点ＳＦに一致している。
【０１６２】
一方、第２レンズ３０側から見て左の外側の入射面４２ｅ、つまり、図２０（ａ）の右側の入射面４２ｅの数値は＋６ｍｍになっているので、そこを通って基本焦点ＳＦ側に向けて出射する光は、図２０（ｂ）に点線矢印で示すように、基本焦点ＳＦよりも右側に６ｍｍズレた位置、つまり、第２レンズ３０側から見たときには、基本焦点ＳＦよりも左側に６ｍｍズレた位置に焦点位置が位置するようになっている。
【０１６３】
また、同様に、第２レンズ３０側から見て右の外側の入射面４２ｅ、つまり、図２０（ａ）の左側の入射面４２ｅの数値は−６ｍｍになっているので、そこを通って基本焦点ＳＦ側に向けて出射する光は、図２０（ｂ）に点線矢印で示すように、基本焦点ＳＦよりも左側に６ｍｍズレた位置、つまり、第２レンズ３０側から見たときには、基本焦点ＳＦよりも右側に６ｍｍズレた位置に焦点位置が位置するようになっている。
【０１６４】
そして、図２０（ａ）の数値の表記は、これまでと同様であるので、数値の記載がない部分は数値の間を補完するように数値が変化しているものである。
このため、第２レンズ３０側から光を入射させるようにすると、入射面４２ｅから出射する光は、入射面４２ｅの左右中央側から左側ほど第２レンズ３０の基本焦点ＳＦに対して左側に照射される、つまり、入射面４２ｅの左右中央側から左側ほど第２レンズ３０の焦点位置が第２レンズ３０の基本焦点ＳＦに対して左側にズラされたようになっている。
【０１６５】
同様に、第２レンズ３０側から光を入射させるようにすると、入射面４２ｅから出射する光は、入射面４２ｅの左右中央側から右側ほど第２レンズ３０の基本焦点ＳＦに対して右側に照射される、つまり、入射面４２ｅの左右中央側から右側ほど第２レンズ３０の焦点位置が第２レンズ３０の基本焦点ＳＦに対して右側にズラされたようになっており、この焦点位置のズレは、各入射面４２ｅの位置に対応する出射面４１ｅの形状によって実現されている。
【０１６６】
したがって、副レンズ部４０Ｂの出射面４１ｅは、副レンズ部４０Ｂの入射面４２ｅに入射した光源２０からの光が形成する配光像を左右方向に拡大するために、第２レンズ３０側から見たときに、副レンズ部４０Ｂの左右中央側から左側の入射面４２ｅに対応する出射面４１ｅほど第２レンズ３０の焦点位置を第２レンズ３０の基本焦点ＳＦに対して左側にズラし、副レンズ部４０Ｂの左右中央側から右側の入射面４２ｅに対応する出射面４１ｅほど第２レンズ３０の焦点位置を第２レンズ３０の基本焦点ＳＦに対して右側にズラすように形成されている。
【０１６７】
なお、図２０（ｂ）では、光源２０（発光チップ２１）から照射される光束（多数の光線）の状態も示しているが、光は、このように形成された副レンズ部４０Ｂを透過し、さらに、第２レンズ３０を透過した後、第２レンズ３０の右側の出射面３１から出射した光は左側に照射され、第２レンズ３０の左側の出射面３１から出射した光は右側に照射されるようにクロス拡散されて左右方向に配光像が拡大されるようになっている。
【０１６８】
（配光像の上下方向への拡大）
図２１は、配光像を上下方向に拡大するために、出射面４１ｅが第２レンズ３０側から見たときの第２レンズ３０の焦点位置をどのようにズラしているかを説明するための図であり、図２１（ａ）は第１レンズ４０の入射面４２の主要な範囲を光源２０側から見た図であり、図２１（ｂ）は焦点位置のズレが理解しやすいように示した図である。
【０１６９】
図２１（ａ）では、副レンズ部４０Ｂの入射面４２ｅに対応する部分についてだけ焦点位置のズラし量を示す数値を記載しており、それよりも上側の入射面４２の部分は、主レンズ部４０Ａの入射面であり、メイン配光の構成で説明した通りである。
【０１７０】
また、図２１（ａ）の入射面４２ｅは、図２０（ａ）の入射面４２ｅと同じであり、以下で説明するが、この部分において上下方向で見たときの焦点位置のズレの状態を示すようにしているものであり、左右方向への焦点位置のズレの状態は、図２０で説明した通りである。
【０１７１】
なお、図２１においても、Ｚ軸、Ｙ軸及びＸ軸は、これまでと同様であり、図２１（ａ）の数値の単位はｍｍであり、図２１（ｂ）に示す通り、第２レンズ３０の基本焦点ＳＦに対して上側に焦点位置がズレる場合をプラスで表し、下側にズレる場合をマイナスで表している。
【０１７２】
図２１（ａ）に示すように、副レンズ部４０Ｂの入射面４２ｅの下側の数値は０ｍｍとなっている。
つまり、第２レンズ３０の出射面３１から光を基本焦点ＳＦ側に向けて入射させたときに、副レンズ部４０Ｂの入射面４２ｅの下側から基本焦点ＳＦ側に向かって出射する光の焦点位置のズレ量は０ｍｍであるので、図２１（ｂ）に点線矢印で示すように、そこを通って基本焦点ＳＦ側に出射する光は、基本焦点ＳＦに焦点位置が位置するようになっている。
【０１７３】
一方、図２１（ａ）に示すように、上側の入射面４２ｅの数値は−２ｍｍになっているので、そこを通って基本焦点ＳＦ側に向けて出射する光は、図２１（ｂ）に点線矢印で示すように、基本焦点ＳＦよりも下側に２ｍｍズレた位置に焦点位置が位置するようになっている。
【０１７４】
そして、図２１（ａ）の数値の表記は、これまでと同様であるので、数値の記載がない部分は数値の間を補完するように数値が変化しているものである。
このため、第２レンズ３０側から光を入射させるようにすると、入射面４２ｅから出射する光は、入射面４２ｅの下側から上側に向かうほど第２レンズ３０の基本焦点ＳＦに対して下側に照射される、つまり、入射面４２ｅの下側から上側に向かうほど第２レンズ３０の焦点位置が第２レンズ３０の基本焦点に対して下側にズラされたようになっており、この焦点位置のズレは、各入射面４２ｅの位置に対応する出射面４１ｅの形状によって実現されている。
なお、上下の関係は、図２１（ａ）に示すように光源２０側から見ても、第２レンズ３０側から見ても同じである。
【０１７５】
したがって、副レンズ部４０Ｂの出射面４１ｅは、副レンズ部４０Ｂの入射面４２ｅに入射した光源２０からの光が形成する配光像を上下方向に拡大するために、第２レンズ３０側から見たときに、副レンズ部４０Ｂの下側の入射面４２ｅに対応する出射面４１ｅから上側の入射面４２ｅに対応する出射面４１ｅに向かって上側の入射面４２ｅに対応する出射面４１ｅほど第２レンズ３０の焦点位置を第２レンズ３０の基本焦点ＳＦに対して下側にズラすように形成されている。
【０１７６】
なお、図２１（ｂ）では、光源２０（発光チップ２１）から照射される光束（多数の光線）の状態も示しているが、光は、このように形成された副レンズ部４０Ｂを透過し、さらに、第２レンズ３０を透過した後、上下方向に拡がりながらメイン配光の上方に照射され、この結果、配光像が上下方向に拡大された状態となる。
【０１７７】
図２２は、このようにして形成されたメイン配光の上方に照射される配光パターンを説明するための図である。
図２２に示す配光像ＢＯＶＨは、上述した焦点位置をズラす調整を行う前の状態であり、焦点位置をズラす調整を行うことで、配光像ＢＯＶＨが左右上下に拡大されて図２２の配光パターンＡＯＶＨの状態となる。
【０１７８】
しかしながら、配光パターンＡＯＶＨは、下辺及び上辺が湾曲した状態であるので、さらに、好適な配光パターンとするために、図２２に示すように、配光パターンの上側の左右外側を矢印で示すように拡張するとともに、配光パターンの下側を矢印で示すように拡張して、ほぼ逆台形状の配光パターンＲＯＶＨの状態となるように副レンズ部４０Ｂを調整する。
【０１７９】
具体的には、これまでと同様に焦点位置をズラす調整を行うことで、配光パターンを逆台形状の配光パターンＲＯＶＨの状態に調整する。
以下では、図２３を参照しながら、この逆台形状の配光パターンＲＯＶＨの状態にするための焦点位置をズラす構成について詳細に説明する。
【０１８０】
図２３は、図２２に示した配光パターンＡＯＶＨを逆台形状の配光パターンＲＯＶＨの状態にするために、出射面４１ｅが第２レンズ３０側から見たときの第２レンズ３０の焦点位置をどのようにズラしているかを説明するための図であり、第１レンズ４０の入射面４２の主要な範囲を光源２０側から見た図である。
【０１８１】
図２３では、副レンズ部４０Ｂの入射面４２ｅに対応する部分についてだけ焦点位置のズラし量を示す数値を記載しており、それよりも上側の入射面４２の部分は、主レンズ部４０Ａの入射面であり、メイン配光の構成で説明した通りである。
【０１８２】
なお、図２３においても、Ｙ軸及びＸ軸は、これまでと同様であり、Ｚ軸はＹ軸とＸ軸の交点に重なるため図示を省略している。
また、図２３に示す数値の単位はｍｍであり、第２レンズ３０の基本焦点ＳＦに対して第１レンズ４０側となる前方側に焦点位置がズレる場合をプラスで表し、第１レンズ４０から離れる後方側にズレる場合をマイナスで表している。
【０１８３】
図２２に示した配光パターンＡＯＶＨの下辺に対応する部分は、副レンズ部４０Ｂの入射面４２ｅの下側に入射する光が主に形成し、配光パターンＡＯＶＨの上辺に対応する部分は、副レンズ部４０Ｂの入射面４２ｅの上側に入射する光が主に形成している。
【０１８４】
そして、第２レンズ３０の焦点位置が第２レンズ３０の基本焦点ＳＦに対して前方側にズレるようにすると、光は下側に照射されるようになり、逆に、基本焦点ＳＦに対して後方側にズレるようにすると、光は上側に照射されるようになる。
なお、この焦点位置をズラす調整は、これまでと同様に副レンズ部４０Ｂの出射面４１ｅの形状を調整することで実現される。
【０１８５】
ここで、図２２に示す配光パターンＡＯＶＨを見ると、配光パターンＡＯＶＨの下辺は、左右中央側が上側に位置し、左右外側に向かって下側に下がるように湾曲しているため、この部分については左右中央側の光を下方に下げるように調整することで、配光パターンＡＯＶＨの下辺を湾曲のない直線状の下辺の状態に近づけることができる。
【０１８６】
そして、焦点位置のズラしと光の照射方向の変化は、上述した通りであるので、図２３に示すように、第２レンズ３０側から見たときに、副レンズ部４０Ｂの左右中央の下側の入射面４２ｅに対応する出射面４１ｅが第２レンズ３０の焦点位置を第２レンズ３０の基本焦点ＳＦに対して第１レンズ４０側となる前方側にズラすようにすればよく、具体的には、図２３に＋５ｍｍの数値が示されている通り、焦点位置が基本焦点ＳＦに対して５ｍｍ前方側にズレるようにしている。
【０１８７】
一方、図２２に示す配光パターンＡＯＶＨの上側については外側ほど光が上方に照射されるようにすれば、湾曲のない直線状の上辺の状態に近づけることができ、配光パターンＡＯＶＨの下辺と上辺がほぼ直線状になると、図２２に示す配光パターンＲＯＶＨの状態となる。
なお、配光パターンＡＯＶＨの下辺の左右外側を少し持ち上げる、つまり、左右外側は少し光が上方に照射されるようにすることで、より下辺を直線上に近づけることができる。
【０１８８】
このため、第２レンズ３０側から見たときに、副レンズ部４０Ｂの左右中央の下側の入射面４２ｅ（図２３で＋５の部分）を基準としてみると、図２３に示すように、上側、左右斜め上側及び左右外側に向かう入射面４２ｅに対応する出射面４１ｅほど第２レンズ３０の焦点位置を第２レンズ３０の基本焦点ＳＦに対して第１レンズ４０から離れる後方側にズラすようにする。
【０１８９】
具体的には、図２３に示すように、入射面４２ｅの上側に対応する出射面４１ｅは左右方向で見てどの部分も−６ｍｍ、つまり、第２レンズ３０の焦点位置を第２レンズ３０の基本焦点ＳＦに対して第１レンズ４０から離れる後方側に６ｍｍズラすように形成されている。
【０１９０】
このようにしておくと、焦点位置のズレ量は均一でも光源２０からの距離の関係で外側ほど上方に光が照射されることになるので配光パターンで見たときには、配光パターンの左右外側ほど上方に調整されたようになり、配光パターンの上辺が直線状になる。
【０１９１】
一方、配光パターンの下辺については、左右中央側を下げる調整も行っていることから、左右外側をそれほど上方に調整する必要がないので、図２３に示すように、第２レンズ３０の焦点位置を第２レンズ３０の基本焦点ＳＦに対して第１レンズから離れる後方側に２ｍｍしかズラしておらず、左右外側の入射面４２ｅに対応する出射面４１ｅは、上側及び左右斜め上側の入射面４２ｅに対応する出射面４１ｅよりもズラし量が小さくなるように形成されている。
【０１９２】
図２４は、上述のよう第２レンズ３０の焦点位置をズラす構成を備える副レンズ部４０Ｂを通して形成される配光パターンＲＯＶＨと、図１６に示した配光パターンＬＰ（メイン配光である斜めカットオフラインを有するロービーム配光パターン）とを合わせたスクリーン上での配光パターンを示す図である。
【０１９３】
図２４を見るとわかるように、メイン配光である配光パターンＬＰの上側に、いわゆるオーバーヘッド配光となる良好な配光パターンＲＯＶＨが形成できている。
【０１９４】
以上、具体的な実施形態を基に本発明の説明を行ってきたが、本発明は、上記実施形態に限定されるものではなく、技術的思想を逸脱することのない変更や改良を行ったものも発明の技術的範囲に含まれるものであり、そのことは当業者にとって特許請求の範囲の記載からである。
【符号の説明】
【０１９５】
１０                        灯具ユニット
２０                        光源
２０’                      仮想光源
２１                        発光チップ
２１ａ                      発光面
２２                        アルミ実装基板
３０                        第２レンズ
３１                        出射面
３２                        入射面
４０                        第１レンズ
４０Ａ                      主レンズ部
４０Ｂ                      副レンズ部
４０ａ                      上側レンズ部
４０ｂ                      レンズ部分
４１                        出射面
４１ｃ                      上側出射面
４１ｄ                      出射面
４１ｅ                      出射面
４２                        入射面
４２ａ                      上部入射面
４２ｂ                      下部入射面
４２ｃ                      上側入射面
４２ｅ                      入射面
４５                        繋がり面
４７                        段差
５０                        シェード
５１                        上辺
５２                        開口
５２ａ                      上辺
５２ｂ                      底辺
５３                        ひさし
Ｃ                          コーン
ＣＰ                        基準点
Ｌ１                        光線
Ｌ２                        光線
ＬＣ                        ライトコーン
ＬＯ                        光線
ＬＰ                        配光パターン
ＭＰ                        配光部分
ＭＰ’                      配光部分
ＰＦ                        第１レンズの基本焦点
ＳＦ                        第２レンズの基本焦点
Ｘ                          水平方向軸
Ｙ                          鉛直方向軸
Ｚ                          光源光軸
ＢＯＶＨ                    配光像
ＡＯＶＨ                    配光パターン
ＲＯＶＨ                    配光パターン
１０１Ｌ、１０１Ｒ          車両用前照灯
１０２                      車両
【図１】
0006679878.tif 000002
【図２】
0006679878.tif 000003
【図３】
0006679878.tif 000004
【図４】
0006679878.tif 000005
【図５】
0006679878.tif 000006
【図６】
0006679878.tif 000007
【図７】
0006679878.tif 000008
【図８】
0006679878.tif 000009
【図９】
0006679878.tif 000010
【図１０】
0006679878.tif 000011
【図１１】
0006679878.tif 000012
【図１２】
0006679878.tif 000013
【図１３】
0006679878.tif 000014
【図１４】
0006679878.tif 000015
【図１５】
0006679878.tif 000016
【図１６】
0006679878.tif 000017
【図１７】
0006679878.tif 000018
【図１８】
0006679878.tif 000019
【図１９】
0006679878.tif 000020
【図２０】
0006679878.tif 000021
【図２１】
0006679878.tif 000022
【図２２】
0006679878.tif 000023
【図２３】
0006679878.tif 000024
【図２４】
0006679878.tif 000025